(57)【要約】【課題】施工作業における負担を軽減すると共に、床下の断熱性能を向上させることができる建物の断熱構造及び当該断熱構造を形成する断熱材の施工方法を得る。【解決手段】建物の断熱構造１２が適用された建物１０では、床下に所定の間隔を空けて複数の床大梁２６及び床小梁２８が配置され、これら横架材により床板３０が下方側から支持されている。また、床板３０の下面側かつ横架材間には、第１断熱材３４が敷設されている。この第１断熱材３４は、横架材に装着された第１上部支持部材３６又は第２上部支持部材３８により下方側から支持されている。さらに、第１断熱材３４の下方側かつ横架材間には、第２断熱材４０が敷設されている。この第２断熱材４０は、第２上部支持部材３８に係合された、下部支持部材４４に下方側から支持されている。【選択図】図１
2020070541.tif 000002
【特許請求の範囲】
【請求項１】
床下に所定の間隔を空けて配置され、床板を下方側から支持する複数の横架材と、
前記横架材に装着され、床板の下面側かつ前記横架材間に敷設された第１断熱材を下方側から支持する複数の上部支持部材と、
前記上部支持部材に係合され、前記第１断熱材の下方側かつ前記横架材間に敷設された第２断熱材を下方側から支持する複数の下部支持部材と、
を有する建物の断熱構造。
【請求項２】
前記下部支持部材は、上下方向に延在し、前記横架材の側面に沿って配置されると共に前記上部支持部材に係合可能な切欠き部を備える板状の係合部と、該係合部の下端部から前記横架材の前記側面よりも外側へ延材し、前記第２断熱材を下方側から支持する板状の支持部とを有する、
請求項１に記載の建物の断熱構造。
【請求項３】
前記下部支持部材は前記横架材の両側に一対設けられており、
一端が前記横架材の一方の側面に配置された前記下部支持部材の前記支持部に係止され、他端が前記横架材の他方の側面に配置された前記下部支持部材の前記支持部に係止された紐状の拘束部材によって前記横架材の下面を覆う第３断熱材が下方側から支持されている、
請求項２に記載の建物の断熱構造。
【請求項４】
前記下部支持部材は、前記拘束部材を用いて前記第３断熱材を組み付ける前の状態では、側面視で前記係合部と前記支持部のなす角が鋭角に設定され、前記拘束部材で前記第３断熱材を組み付けた状態では、前記拘束部材から伝達される荷重によって前記なす角が略垂直となるように前記支持部が弾性変形されている、
請求項３に記載の建物の断熱構造。
【請求項５】
前記拘束部材の両端には、前記下部支持部材の前記支持部に形成された孔に係止可能なフックが設けられている、
請求項３又は請求項４に記載の建物の断熱構造。
【請求項６】
請求項１〜請求項５のいずれか１項に記載された建物の断熱構造に適用される断熱材の施工方法であって、
前記床板を支持する複数の前記横架材間に敷設された前記第１断熱材と前記第１断熱材を下方側から支持する前記上部支持部材を備える既設の建物の床下で前記下部支持部材を前記上部支持部材に係合させる第１工程と、
前記第２断熱材を前記下部支持部材に支持させる第２工程と、
を含む断熱材の施工方法。
【請求項７】
請求項３〜請求項５のいずれか１項に記載された建物の断熱構造に適用される断熱材の施工方法であって、
前記床板を支持する複数の前記横架材間に敷設された前記第１断熱材と前記第１断熱材を下方側から支持する前記上部支持部材を備える既設の建物の床下で前記下部支持部材を前記上部支持部材に係合させる第１工程と、
前記第３断熱材を前記拘束部材に支持させる第２工程と、
前記第２断熱材を前記下部支持部材に支持させる第３工程と、
を含む断熱材の施工方法。
【発明の詳細な説明】
【技術分野】
【０００１】
本発明は、建物の断熱構造及び当該断熱構造を形成する断熱材の施工方法に関する。
【背景技術】
【０００２】
従来、建物の床板の下面側に断熱材を敷設して、床板の断熱性能を向上させる技術が知られている。また、床板の下面側に断熱材を取り付ける方法として、例えば、床板を下方側から支持する横架材（具体的には梁や大引、根太）に支持部材を取り付けて、横架材間に敷設した断熱材を支持部材で支持する方法が知られている。
【０００３】
ところで、上記構成の横架材が形鋼や鋼管で形成される鉄骨造の建物では、横架材が熱橋（ヒートブリッジ）となり、建物が外気の影響を受けやすくなるという問題が指摘されている。このため、このような建物では、床下の改修工事により横架材の側面に断熱材を配設し熱橋現象を抑制する場合がある。
【０００４】
下記特許文献１には、横架材（根太）の下面に固定される支持部材（固定具）を用いて、床下に断熱材を補充する構成が開示されている。支持部材は、針状に形成された埋設部を横架材の下面に埋設することにより横架材に固定されており、埋設部の両側には水平方向に延在する板状の支持部が設けられている。そして、当該支持部と床板との隙間に板状の断熱材を挿入して、横架材の側面を覆う構成とされている。
【先行技術文献】
【特許文献】
【０００５】
【特許文献１】特開２０１７−１３３３１３号公報
【発明の概要】
【発明が解決しようとする課題】
【０００６】
しかしながら、上記先行技術では、作業員が床下空間に入り、ハンマー等の工具を用いて横架材の下面に支持部材の埋設部を打ち込む必要がある。このため、床下空間の小さな建物では、支持部材の取り付け作業が困難な場合があり、施工性を向上させる点において改善の余地がある。
【０００７】
本発明は上記問題を考慮し、施工作業における負担を軽減すると共に、床下の断熱性能を向上させることができる建物の断熱構造及び当該断熱構造を形成する断熱材の施工方法を得ることが目的である。
【課題を解決するための手段】
【０００８】
第１の態様に係る建物の断熱構造は、床下に所定の間隔を空けて配置され、床板を下方側から支持する複数の横架材と、前記横架材に装着され、床板の下面側かつ前記横架材間に敷設された第１断熱材を下方側から支持する複数の上部支持部材と、前記上部支持部材に係合され、前記第１断熱材の下方側かつ前記横架材間に敷設された第２断熱材を下方側から支持する複数の下部支持部材と、を有する。
【０００９】
第１の態様に係る建物の断熱構造では、床板を下方側から支持する複数の横架材が床下に所定の間隔を空けて配置されている。横架材間には、床板の下面側に第１断熱材が敷設されている。また、第１断熱材の下方側に第２断熱材を配置されている。このように、第１断熱材と第２断熱材とを上下に並べて敷設することにより横架材の側面部分に断熱材が配置される。これにより、床板及び横架材を介して行われる建物内外への熱の伝達が抑制されるため、床下の断熱性能が向上される。
【００１０】
ここで、第１断熱材の下方側に配置された第２断熱材は、下部支持部材によって下方側から支持されており、下部支持部材は、第１断熱材を支持する上部支持部材に係合された状態とされている。換言すると、第２断熱材は、下部支持部材を介して上部支持部材に支持されている。このため、第２断熱材を組み付けるにあたり、工具を用いて横架材に新たな支持部材を取り付ける必要がない。これにより、床下空間の小さな建物でも施工が容易になるため、作業員の負担が軽減される。
【００１１】
第２の態様に係る建物の断熱構造は、第１の態様に係る構成において、前記下部支持部材は、上下方向に延在し、前記横架材の側面に沿って配置されると共に前記上部支持部材に係合可能な切欠き部を備える板状の係合部と、該係合部の下端部から前記横架材の前記側面よりも外側へ延材し、前記第２断熱材を下方側から支持する板状の支持部とを有する。
【００１２】
第２の態様に係る建物の断熱構造では、下部支持部材は、横架材の側面に沿って配置された係合部を含んで構成されており、係合部に設けられた切欠き部が上部支持部材に係合可能な構成とされている。このため、作業員は、工具を用いることなく下部支持部材を上部支持部材に係合させて、横架材の側面に断熱材を配置することができる。よって、施工作業における作業員の負担が、より一層、軽減される。
【００１３】
第３の態様に係る建物の断熱構造は、第２の態様に係る構成において、前記下部支持部材は前記横架材の両側に一対設けられており、一端が前記横架材の一方の側面に配置された前記下部支持部材の前記支持部に係止され、他端が前記横架材の他方の側面に配置された前記下部支持部材の前記支持部に係止された紐状の拘束部材によって前記横架材の下面を覆う第３断熱材が下方側から支持されている。
【００１４】
第３の態様に係る建物の断熱構造では、第１断熱材と第２断熱材に加えて、横架材の下面を覆う第３断熱材が設けられている。このため、横架材の側面及び下面部分を覆う断熱構造が確保される。これにより、横架材を介して行われる建物内外への熱の伝達が一層抑制されて、床下の断熱性能が向上される。
【００１５】
また、本態様において、第３断熱材は、両端が横架材の両側にそれぞれ係止された紐状の拘束部材によって下方側から支持されている。このため、第３断熱材を横架材の下面に添え当てて、横架材の下面に紐状の拘束部材を回し渡すことにより容易に第３断熱材を取り付けることができる。従って、床下空間の小さな建物であっても容易に施工することができる。
【００１６】
第４の態様に係る建物の断熱構造は、第３の態様に係る建物の断熱構造において、前記下部支持部材は、前記拘束部材を用いて前記第３断熱材を組み付ける前の状態では、側面視で前記係合部と前記支持部のなす角が鋭角に設定され、前記拘束部材で前記第３断熱材を組み付けた状態では、前記拘束部材から伝達される荷重によって前記なす角が略垂直となるように前記支持部が弾性変形されている。
【００１７】
第４の態様に係る建物の断熱構造において、下部支持部材の支持部には、第３断熱材を支持しようとする拘束部材から荷重が伝達される。これにより、支持部は、側面視で係合部と支持部のなす角が鋭角から略垂直となるように弾性変形される。このため、横架材の両側に配置された拘束部材の両端部には、弾性復帰しようとする支持部から上方向の引張荷重がそれぞれ作用する。その結果、拘束部材による第３断熱材の支持力が増すため、床下の断熱構造の耐久性が向上される。
【００１８】
第５の態様に係る建物の断熱構造は、第３の態様又は第４の態様に係る構成において、前記拘束部材の両端には、前記下部支持部材の前記支持部に形成された孔に係止可能なフックが設けられている。
【００１９】
第５の態様に係る建物の断熱構造では、拘束部材の両端にフックを設け、各々のフックが下部支持部材の支持部に設けられた孔に係止されている。このため、簡単な構成で拘束部材の両端を下部支持部材へ係止することができる。
【００２０】
第６の態様に係る断熱材の施工方法は、請求項１〜請求項５のいずれか１項に記載された建物の断熱構造に適用される断熱材の施工方法であって、前記床板を支持する複数の前記横架材間に敷設された前記第１断熱材と前記第１断熱材を下方側から支持する前記上部支持部材を備える既設の建物の床下で前記下部支持部材を前記上部支持部材に係合させる第１工程と、前記第２断熱材を前記下部支持部材に支持させる第２工程と、を含んでいる。
【００２１】
第６の態様に係る断熱材の施工方法では、まず、既設の建物の床下に予め配設された上部支持部材に下部支持部材を係合させる。その後、下部支持部材に第２断熱材を支持させることにより、第１断熱材と第２断熱材を横架材間に上下に並べて敷設することができる。このため、床板の断熱性能を向上させる第１断熱材を備えた既設の建物に、工具等を使用することなく横架材の側面部分を覆う第２断熱材を補充することができる。これにより、簡易な方法で既存の建物の床下の断熱性能を向上させることができ、床下改修工事に伴う作業員の負担を軽減させることができる。
【００２２】
第７の態様に係る断熱材の施工方法は、請求項３〜請求項５のいずれか１項に記載された建物の断熱構造に適用される断熱材の施工方法であって、前記床板を支持する複数の前記横架材間に敷設された前記第１断熱材と前記第１断熱材を下方側から支持する前記上部支持部材を備える既設の建物の床下で前記下部支持部材を前記上部支持部材に係合させる第１工程と、前記第３断熱材を前記拘束部材に支持させる第２工程と、前記第２断熱材を前記下部支持部材に支持させる第３工程と、を含んでいる。
【００２３】
第７の態様に係る断熱材の施工方法では、まず、既設の建物の床下に予め配設された上部支持部材に下部支持部材を係合させる。その後、第３断熱材を拘束部材に支持させることにより横架材の下面が第３断熱材により覆われる。その後、第２断熱材を下部支持部材に支持させることにより、第１断熱材と第２断熱材が横架材間に上下に並べて敷設される。これにより、簡単な方法で横架材の側面及び下面部分を覆う断熱材を補充することができると共に、床下改修工事に伴う作業員の負担を軽減させることができる。
【発明の効果】
【００２４】
以上説明したように、第１の態様に係る建物の断熱構造によれば、施工作業における負担を軽減すると共に、床下の断熱性能を向上させることができるという優れた効果を有する。
【００２５】
第２の態様に係る建物の断熱構造によれば、工具を用いることなく横架材の側面に断熱材を配置可能とし、施工作業における作業員の負担をより一層、軽減させることができるという優れた効果を有する。
【００２６】
第３の態様に係る建物の断熱構造によれば、床下の断熱性能が向上されると共に床下空間の小さな建物であっても容易に施工することができるという優れた効果を有する。
【００２７】
第４の態様に係る建物の断熱構造によれば、横架材の下面を覆う第３断熱材の支持構造の耐久性を向上させることができるという優れた効果を有する。
【００２８】
第５の態様に係る建物の断熱構造によれば、簡単な構成で拘束部材の両端を下部支持部材へ係止することができ、第３断熱材の設置作業が容易になるという優れた効果を有する。
【００２９】
第６の態様に係る断熱材の施工方法によれば、簡易な方法で横架材の側面を覆う断熱材の補充ができ、床下改修工事に伴う作業員の負担を軽減させることができるという優れた効果を有する。
【００３０】
第７の態様に係る断熱材の施工方法によれば、簡易な方法で横架材の側面及び下面を覆う断熱材を補充することができ、床下改修工事に伴う作業員の負担を軽減させることができるという優れた効果を有する。
【図面の簡単な説明】
【００３１】
【図１】図７の１−１線に沿って切断した状態を一部拡大して示す拡大断面図である。
【図２】第１実施形態に係る断熱構造が適用された建物における床大梁近傍の構造を示す部分拡大断面図である。
【図３】第１実施形態に係る断熱構造が適用された建物における床小梁近傍の構造を示す部分拡大断面図である。
【図４】図３に示す第２上部支持部材を示す拡大斜視図である。
【図５】（Ａ）は、図１に示す下部支持部材の側面図であり、（Ｂ）は、図１に示す下部支持部材の正面図である。
【図６】（Ａ）は、下部支持部材を第２上部支持部材に係止させた状態を示す図５（Ａ）に対応する側面図であり、（Ｂ）は、図６（Ａ）の６Ｂ−６Ｂ線に沿って切断した状態を示す断面図である。
【図７】第１実施形態に係る断熱構造が適用された建物の斜視図である。
【図８】（Ａ）は、第２実施形態に係る下部支持部材の斜視図であり、（Ｂ）は、その側面図である。
【図９】第２実施形態に係る断熱構造を示す図１に対応する拡大断面図である。
【図１０】（Ａ）は、第３実施形態に係る下部支持部材の斜視図であり、（Ｂ）は、その側面図である。
【図１１】第３実施形態に係る断熱構造を示す図１に対応する拡大断面図である。
【図１２】（Ａ）〜（Ｃ）は、拘束部材の変形例を示す側面図である。
【発明を実施するための形態】
【００３２】
＜第１実施形態＞
以下、図１〜図７に基づいて、本発明の第１実施形態に係る建物の断熱構造１２（以下、単に「断熱構造１２」とする。）について説明する。断熱構造１２は、建物１０の床下空間２０に設けられている。以下では、先ず、建物１０の全体構成について説明した後、断熱構造１２について詳細に説明する。
【００３３】
（建物１０の全体構成）
図７に示されるように、建物１０は、ユニット建物とされている。建物１０は、基礎１４上に複数個の下階側の建物ユニット１６を据え付けた後に、当該下階側の建物ユニット１６上に複数個の上階側の建物ユニット１８を据え付けることにより構成されている。また、基礎１４は、建物１０の全周に沿って連続して設けられており、この基礎１４により囲まれた内側空間が床下空間２０とされている（図１〜図３参照）。なお、図２、図３、図７では、説明の便宜上、床仕上げ材３２の図示を省略している。
【００３４】
それぞれの建物ユニット１６、１８は、４本の柱２２と、それぞれの柱２２の上端部に接合され、平面視で略矩形状とされた天井大梁２４と、それぞれの柱２２の下端部に接合され、平面視で略矩形状とされた床大梁２６とを備えている。これにより、建物ユニット１６、１８は、躯体フレームとされている。
【００３５】
また、長手方向の一対の床大梁２６の間には、短手方向の床大梁２６に対して略平行に配置された複数の床小梁２８が架け渡されている。そして、床大梁２６及び床小梁２８を床下地にパーチクルボード等で形成された床板３０が固定されている。また、床板３０の仕上げ面（上面３０Ａ）には、床仕上げ材３２が敷設されている（図１参照）。なお、床大梁２６及び床小梁２８が本発明における「横架材」に相当する。
【００３６】
図２に示されるように、床大梁２６は、溝形鋼とされており、建物１０の高さ方向（略鉛直方向）に沿って切断したときの断面形状がコ字状を成すにように形成されている。具体的に説明すると、床大梁２６は、高さ方向に沿って配置されるウエブ部２６Ａと、ウエブ部２６Ａの上端からそれぞれ略水平に張り出す上フランジ部２６Ｂと、ウエブ部２６Ａの下端からそれぞれ略水平に張り出し上フランジ部２６Ｂと対向して形成された下フランジ部２６Ｃと、を含んで構成されている。
【００３７】
一方、図３に示されるように、床小梁２８は、鋼製の角パイプとされている。床小梁２８は、高さ方向に沿って配置される一対の側面部２８Ａと、一対の側面部２８Ａの上端を水平方向に繋いでいる上面部２８Ｂと、側面部２８Ａの下端を水平方向に繋いでいる下面部２８Ｃと、を備えている。
【００３８】
（断熱構造１２の構成）
図１に示されるように、床板３０の下面３０Ｂ側には、隣接した床大梁２６と床小梁２８の間、及び、隣接した床小梁２８の間に、板状に形成された第１断熱材３４が敷設されている。第１断熱材３４は、一例として、ポリスチレンフォームにより形成されている。第１断熱材は、床大梁２６に装着された複数の第１上部支持部材３６と、床小梁２８に装着された複数の第２上部支持部材３８とによって下方側から支持されている。なお、第１上部支持部材３６と第２上部支持部材３８とが本発明における「上部支持部材」に相当する。
【００３９】
図２に示されるように、第１上部支持部材３６は、高さ方向を板厚方向とする長尺な板材を湾曲して形成されている。また、一例として鋼板製とされている。具体的に説明すると、第１上部支持部材３６は、床大梁２６上フランジ部２６Ｂに当接する上部３６Ａと、上部３６Ａの屋内側の端部から鉛直垂下された中間部３６Ｂと、中間部３６Ｂの下端部から屋内側へ延出された下部３６Ｃを備えている。換言すると、第１上部支持部材３６は、側面視で略Ｓ字状に形状されており、上部３６Ａが床大梁２６の上フランジ部２６Ｂに載置されることにより、床大梁２６に下方側から支持されている。
【００４０】
また、下部３６Ｃは、中間部３６Ｂの下端部から屋内側へ向かうにつれて下方側へ若干傾斜して延在している（図１参照）。そして、下部３６Ｃの下端部には、当該下端部から上方側へ延出された爪部３６Ｄが設けられている。
【００４１】
図１に示されるように、第１断熱材３４は、床大梁２６に沿って配置された端部が床板３０と第１上部支持部材３６の下部３６Ｃとの隙間に挿入されて、爪部３６Ｄによって下方側から支持されている。
【００４２】
図４に示されるように、第２上部支持部材３８は、第１上部支持部材と同様に、高さ方向を板厚方向とする長尺な板材を湾曲して形成されている。また、一例として、鋼板製とされている。第２上部支持部材３８の形状は、側面視で一対の第１上部支持部材３６を対向して配置した形状に等しく、略ハット型をなしている。具体的に説明すると、第２上部支持部材３８は、床小梁２８の上面部２８Ｂに当接する上部３９と、側面視で上部３９の左右両端から鉛直垂下する中間部３６Ｂと、中間部３６Ｂの下端から側面部２８Ａよりも外側へ延出された下部３６Ｃとを備えている。また、下部３６Ｃの先端部には爪部３６Ｄが設けられている。なお、中間部３６Ｂ、下部３６Ｃ、爪部３６Ｄは第１上部支持部材３６と同様の構成であるため説明を割愛する。
【００４３】
上部３９の左右両端に設けられた中間部３６Ｂ間の寸法は、床小梁２８の側面部２８Ａの板厚方向の寸法と略同一とされている。そして、上部３９を床小梁２８の上面部２８Ｂに載置すると一対の中間部３６Ｂの間に床小梁２８が挿入される。これにより、第２上部支持部材３８は、床小梁２８に下方側から支持されている。
【００４４】
図１及び図３に示されるように、第１断熱材３４は、床小梁２８に沿って配置された端部が床板３０と第２上部支持部材３８の下部３６Ｃとの隙間に挿入されて、爪部３６Ｄによって下方側から支持されている。
【００４５】
さらに、第１断熱材３４の下面側には、隣接した床大梁２６と床小梁２８の間、及び、隣接した床小梁２８の間に、板状に形成された第２断熱材４０が敷設されている。第２断熱材４０は、一例として、グラスウールにより形成されている。第２断熱材は、床大梁２６の下フランジ部２６Ｃに支持されたブロック体４２と、第２上部支持部材３８に係止された下部支持部材４４によって下方側から支持されている。
【００４６】
図１及び図２に示されるように、ブロック体４２は、長尺な角柱状に形成され、床大梁２６の延在方向に沿って延在している。また、一例として、ポリスチレンフォーム又はグラスウール等により形成されている。ブロック体４２は、床大梁２６の下フランジ部の上面に載置されており、両面テープ又は接着剤等の手段で固定されている。ブロック体４２の上面の高さ位置は、後述する下部支持部材４４の係合部４６の下端の高さ位置と略一致している。
【００４７】
第２断熱材４０は、床大梁２６に沿って配置された端部が第１断熱材３４とブロック体４２との隙間に挿入されて、ブロック体４２によって下方側から支持されている。
【００４８】
一方、下部支持部材４４は、高さ方向を板厚方向とする長尺な板材を湾曲して形成されている。また、一例として、鋼板製とされている。具体的に説明すると、下部支持部材４４は、床小梁２８の側面部２８Ａに沿って高さ方向に延出された係合部４６と、係合部４６の下端部から床小梁２８の側面部２８Ａよりも外側へ延出された支持部４８を備えている。換言すると、下部支持部材４４は、側面視で略Ｌ字状に形成されている。
【００４９】
図５（Ａ）、図５（Ｂ）に示されるように、係合部４６は、正面視で矩形状に形成されており、板厚方向が床小梁２８の側面部２８Ａの厚み方向に一致している。係合部４６上部かつ幅方向の一端部には、当該一端部から係合部４６の略中央まで延在するスリット状の切欠き部５０が設けられている。切欠き部５０の延在方向は水平方向に略一致しており、切欠き部５０の上面５０Ａの中間部には、下面５０Ｂ側へ突出した段差部５２が形成されている。つまり、切欠き部５０の上面５０Ａと下面５０Ｂとの間の寸法は、段差部５２を境に係合部４６の一端側に位置する部位の方が小さくなるように形成されている。また、係合部４６の一端に形成された切欠き部５０の開放端（外側端部）には、面取り加工がされている。
【００５０】
一方、支持部４８は、平面視で略矩形状に形成されている。支持部４８は、下部支持部材４４の組み付け前の状態において、係合部４６の下端部から床小梁２８の側面部２８Ａよりも外側へ向かうにつれて、若干上方側に傾斜して延在している。このため、下部支持部材４４の係合部４６と支持部４８が側面視でなす角θ１は、側面視で鋭角とされている。なお、本実施形態では、θ１＝８５°とされている。  また、支持部４８には、板厚方向に貫通する孔５４が形成されており、後述する拘束部材５８の一端が係止される。
【００５１】
図６（Ａ）、図６（Ｂ）に示されるように、下部支持部材４４は、切欠き部５０に第２上部支持部材を挿入することにより、第２上部支持部材３８に係止される構成となっている。
【００５２】
具体的に説明すると、下部支持部材４４の係合部４６は、切欠き部５０より上方側の部分が第２上部支持部材３８の中間部３６Ｂよりも外側に配置されるように挿入されている。つまり、床小梁２８の側面部２８Ａと係合部４６との間に第２上部支持部材３８の中間部３６Ｂが配置されている。また、第２上部支持部材３８の下部３６Ｃが切欠き部５０を通って床小梁２８の側面部２８Ａよりも外側方向へ延在されている。この状態では、切欠き部５０の上面５０Ａが第２上部支持部材３８の下部３６Ｃに当接することにより、下部支持部材４４の下方側への移動が規制されている。
【００５３】
また、第２上部支持部材３８が切欠き部５０の奥まで挿入されると、第２上部支持部材３８は、切欠き部５０の内側端部と段差部５２との間に収容される。また、この状態では、切欠き部５０を通って斜め下方向に傾斜して延びる第２上部支持部材３８の下部３６Ｃと切欠き部５０の段差部５２が側面視で重なる位置に配置されている（図６（Ｂ）参照）。このため、下部支持部材４４を床小梁２８の延在方向に沿って移動させようとすると、第２上部支持部材３８の下部３６Ｃが切欠き部５０の内側端部又は段差部５２に当たって移動が規制される。これにより、下部支持部材４４の取り付け後に、下部支持部材４４が第２上部支持部材３８から脱落するということが抑制される。
【００５４】
図１に示されるように、第２断熱材４０は、第１断熱材３４と下部支持部材４４の支持部４８との間に第２断熱材４０の床小梁２８に沿って配置された端部が挿入される。これにより、第２断熱材４０は、支持部４８によって下方側から支持されている。
【００５５】
さらに、図３に示されるように、下部支持部材４４の下方側には、床小梁２８の下面部２８Ｃを覆う第３断熱材５６が配置されている。第３断熱材５６は、一例として、グラスウールにより形成されている。また、第３断熱材５６は、側面視でＵ字形状とされており、床小梁２８の側面部２８Ａの下部と床小梁２８の下面部２８Ｃを包むように配置されている。第３断熱材は、下部支持部材４４に係止された紐状の拘束部材５８により下方側から支持されている。
【００５６】
拘束部材５８は、紐部材６０と、紐部材６０の両端に取り付けられたフック６２を備えている。各々のフック６２は、床小梁２８の左右両側面部２８Ａに配置された一対の下部支持部材４４に形成された孔５４に係止されている（図１参照）。
【００５７】
そして、床小梁２８と一対の下部支持部材４４との間に架け渡された拘束部材５８との間に第３断熱材５６が配置されている。これにより、第３断熱材が拘束部材５８によって下方側から支持されている。
【００５８】
なお、拘束部材５８の全長は、第３断熱材５６の外周寸法よりも短く設定されており、第３断熱材５６を拘束部材５８で括るようにして床小梁２８に組み付けると、拘束部材５８の紐部材６０に張力が発生する。そして、拘束部材５８の両端に設けられたフック６２を介して下部支持部材４４の支持部４８に下方向の荷重が作用する。この状態では、フック６２から伝達される荷重で支持部４８が弾性変形され、下部支持部材４４の係合部４６と支持部４８が側面視でなす角θ１は略垂直となっている（図１参照）。また、下部支持部材４４の復元力によって、拘束部材５８の両端には上方向の荷重が作用するため、第３断熱材５６が拘束部材５８によって上方側へ引き上げられて、床小梁２８への組み付け強度を向上させる構成となっている。
【００５９】
（作用及び効果）
次に、建物１０に断熱構造１２を適用する際の施工方法を説明すると共に、本実施形態の作用及び効果について説明する。
【００６０】
本実施形態では、予め、隣接する床大梁２６と床小梁２８との間、及び隣接する床小梁２８間に敷設された第１断熱材３４と第１断熱材３４を下方側から支持する第１上部支持部材３６及び第２上部支持部材３８を備える建物１０の床下に施工する場合を例として説明する。このような場合、作業員は建物１０の床下空間２０に潜り込み、第２断熱材４０と第３断熱材５６の組み付け作業を行う。
【００６１】
（１）まず、作業員は、下部支持部材４４を第２上部支持部材３８に係合させる。具体的には、下部支持部材４４の切欠き部５０に第２上部支持部材３８を挿入して、下部支持部材４４を第２上部支持部材３８の下方側へ吊り下げた状態とする。
【００６２】
（２）次に、第３断熱材５６を拘束部材５８に支持させる。この工程では、まず、第３断熱材５６を床小梁２８の下部に添え当てる。そして、床小梁２８の下面部２８Ｃ側から拘束部材５８を回し渡すようにして、拘束部材５８のフック６２を床小梁２８の両側面部２８Ａに配置された下部支持部材４４に係止する。
【００６３】
（３）最後に、第２断熱材４０を下部支持部材４４に支持させる。この工程では、既に下部支持部材４４が組み付けられた床小梁２８の側面に第２断熱材４０の端部を組み付ける。具体的には、床大梁２６と床小梁２８との間では、床大梁２６に沿って配置された第２断熱材４０の一端を床大梁２６の下フランジ部２６Ｃに予め固定されたブロック体４２の上に載置する（図２参照）。一方、床小梁２８に沿って配置された第２断熱材４０の一端は、第１断熱材３４と下部支持部材４４の支持部４８との間に挿入する。
【００６４】
一方、隣接する床小梁２８間には、床小梁２８に沿って配置された第２断熱材４０の両端部を、第１断熱材３４と下部支持部材４４の支持部４８との間に挿入する。これにより、隣接する床大梁２６と床小梁２８との間、及び隣接する床小梁２８間に第１断熱材３４と第２断熱材４０が上下方向に並んで敷設される。
【００６５】
以上の工程により、断熱材の施工作業が完了する。
【００６６】
以上説明した本実施形態の断熱構造１２では、床板３０の下面３０Ｂ側に第１断熱材３４と第２断熱材４０が上下方向に並んで敷設されている。また、第１断熱材３４と第２断熱材４０は床小梁２８の側面部２８Ａを覆うように配置されている。さらに、床小梁２８の下方側には、床小梁２８の下面部２８Ｃを覆うように第３断熱材５６が配置されている。これにより、床板３０及び床小梁２８を介して行われる建物内外への熱の伝達が抑制されるため、建物１０の床下の断熱性能を向上させることができる。
【００６７】
また、第２断熱材４０を下方側から支持する下部支持部材４４は、係合部４６に設けられた切欠き部５０に第２上部支持部材３８を挿入することにより、第２上部支持部材３８に係止可能とされている。このため、第２断熱材４０を組み付けるにあたり、工具を用いて床小梁２８に新たな支持部材を取り付ける必要がない。これにより、床下空間の小さな建物でも施工が容易になるため、作業員の負担が軽減される。
【００６８】
また、本実施形態に係る第３断熱材５６の取り付け作業は、第３断熱材５６を床小梁２８の下面部２８Ｃに添え当てて、床小梁２８の下面部２８Ｃに紐状の拘束部材５８を回し渡すことにより行われる。具体的には、拘束部材５８の両端にフック６２を設け、各々のフック６２を床小梁２８の両側に一対設けられた下部支持部材４４の支持部４８の孔５４に引っ掛けることで係止させる。このように、簡単な方法で第３断熱材５６を取り付けることができ、床下空間の小さな建物であっても容易に施工可能となる。
【００６９】
また、本実施形態では、下部支持部材４４の支持部４８には、第３断熱材５６を支持しようとする拘束部材５８からの荷重が伝達される。これにより、支持部４８は、側面視で係合部４６と支持部４８のなす角θ１が鋭角（例えばθ＝８５°）から略垂直となるように弾性変形される。このため、床小梁２８の両側に配置された拘束部材５８の両端部には、フック６２を介して弾性復帰しようとする支持部４８から上方向の引張荷重がそれぞれ作用する。これにより、拘束部材５８が第３断熱材５６を下方側から強力に支持することが可能となり、建物１０の床下の断熱構造の耐久性を向上させることができる。
【００７０】
また、上述した断熱材の施工方法は、床板３０の断熱性能を向上させる第１断熱材３４が予め敷設された建物１０の床下改修工事などの際に簡単な方法で床小梁２８の側面部２８Ａ及び下面部２８Ｃを断熱材で覆うことができる。これにより、建物１０の床下の断熱性能を一層向上させることができると共に、床下改修工事に伴う作業員の負担を軽減させることができる。
【００７１】
＜第２実施形態＞
以下、図８〜図９に基づいて、第２実施形態に係る建物の断熱構造７０（以下、単に「断熱構造７０」とする。）について説明する。本実施形態の断熱構造７０では、床小梁２８の左右両側に配置された第２断熱材４０を下方側から支持する下部支持部材７２を備える点に特徴がある。なお、上記第１実施形態と同様の構成及び作用については、同符号を付与しその説明を省略する。
【００７２】
図８（Ａ）には、本実施形態に係る下部支持部材７２の斜視図が示されている。この図に示されるように、下部支持部材７２は、床小梁２８の下面部２８Ｃ側に配置される底面部７４と、底面部７４から鉛直上方に立設された一対の係合部７６と、底面部７４から床小梁２８の側面部２８Ａよりも左右外側へ延在された支持部７８とを備えている。また、一例として、下部支持部材７２は鋼板で形成されている。
【００７３】
底面部７４は、鉛直方向を板厚方向とし、平面視で略矩形状の板材とされている。底面部７４の長手方向は、床小梁２８の延在方向と一致し、底面部７４の短手方向の寸法は床小梁２８の側面部２８Ａの板厚方向の寸法と略一致している。
【００７４】
底面部７４の中央部から長手方向の一方側の部位には、短手方向の両端部に鉛直上方へ立設された一対の係合部７６が一体に形成されている。係合部７６は、正面視で鉛直方向を長手方向とする矩形状に形成されており、側面視では一対の係合部７６と底面部７４とによって上方側に開放された略Ｕ字状に形成されている。また、係合部７６には、スリット状の切欠き部５０が形成されている。なお、切欠き部５０の構成は上述した第１実施形態と同様の構成であるため、説明を割愛する。
【００７５】
一方、底面部７４の中央部から長手方向の他方側の部位には、短手方向の両端部から、左右外側へ延在された一対の支持部７８が一体に形成されている。各支持部７８は、略鉛直方向を板厚方向とし、平面視で矩形状に形成されている。また、支持部７８は、底面部７４の端部から外側へ向かうにつれて若干上方側へ傾斜して延在されている。このため、下部支持部材７２を組み付ける前の状態では、側面視で下部支持部材７２の係合部７６と支持部７８とのなす角θ２が鋭角とされている。また、各支持部７８には、拘束部材５８のフック６２を係止する孔５４が形成されている。
【００７６】
図９に示されるように、下部支持部材７２は、一対の係合部７６間に床小梁２８が挿入されると共に、切欠き部５０に第２上部支持部材３８が挿入される。これにより、下部支持部材７２は、第２上部支持部材３８に係止された状態となる。また、第２断熱材４０を組み付けた状態では、一対の支持部７８によって床小梁２８の両側に配設された第２断熱材４０が下方側から支持ざれる構成となっている。
【００７７】
（作用及び効果）
本実施形態の断熱構造７０の基本的な構成は、第１実施形態の断熱構造１２を踏襲している。このため、第１実施形態の断熱構造１２と同様の作用並びに効果を得ることができる。
【００７８】
また、本実施形態では、下部支持部材７２によって床小梁２８の側面部２８Ａの両側に配置された第２断熱材４０を支持することができる。このため、床小梁２８の両側にそれぞれ別体の下部支持部材が配設される構造と比較して、部材の点数を減らすことができ、施工時の工数を減少させることができる。
【００７９】
＜第３実施形態＞
以下、図１０〜図１１に基づいて、第３実施形態に係る建物の断熱構造８０（以下、単に「断熱構造８０」とする。）について説明する。本実施形態の断熱構造８０では、第２実施形態と同様に床小梁２８の左右両側に配置された第２断熱材４０を下方側から支持する下部支持部材８２を備える点に特徴がある。なお、上記第１実施形態及び第２実施形態と同様の構成及び作用については、同符号を付与しその説明を省略する。
【００８０】
図１０（Ａ）には、本実施形態に係る下部支持部材８２の斜視図が示されている。この図に示されるように、下部支持部材８２は、床小梁２８の下面部２８Ｃ側に配置される底面部７４と、底面部７４から鉛直上方に立設された一対の係合部７６と、を備えている。また、下部支持部材８２は、係合部７６の上部から底面部７４の長手方向に沿って延在された一対の延長部８４と、延長部８４の下端部から床小梁２８の側面部２８Ａよりも左右外側へ延在された支持部８６とを備えている。また、一例として、下部支持部材８２は鋼板で形成されている。なお、底面部７４と係合部７６は第２実施形態と同様の構成であるため説明を割愛する。
【００８１】
一対の延長部８４は、一対の係合部７６において切欠き部５０が形成された一側に対して反対側の一側の上部に設けられている。延長部８４は、係合部７６と板厚方向が一致しており、正面視で矩形状をなしている。そして、一対の延長部８４の下端部には、各延長部８４から離間する方向に延在された支持部８６がそれぞれ一体に形成されている。
【００８２】
各支持部８６は、略鉛直方向を板厚方向とし、平面視で矩形状に形成されている。また、支持部８６は、延長部８４の下端部から外側へ向かうにつれて若干上方側へ傾斜して延在されている。このため、下部支持部材８２を組み付ける前の状態では、側面視で下部支持部材８２の係合部７６と支持部８６とのなす角θ３が鋭角とされている。また、各支持部８６には、拘束部材５８のフック６２を係止する孔５４が形成されている。
【００８３】
図１１に示されるように、下部支持部材８２は、一対の係合部７６間に床小梁２８が挿入されると共に、切欠き部５０に第２上部支持部材３８が挿入される。これにより、下部支持部材８２は、第２上部支持部材３８に係止された状態となる。また、第２断熱材４０を組み付けた状態では、一対の支持部８６によって床小梁２８の両側に配設された第２断熱材４０が下方側から支持される構成となっている。
【００８４】
（作用及び効果）
本実施形態の断熱構造８０の基本的な構成は、第１実施形態の断熱構造１２を踏襲している。このため、第１実施形態の断熱構造１２と同様の作用並びに効果を得ることができる。
【００８５】
また、本実施形態では、下部支持部材８２によって床小梁２８の側面部２８Ａの両側に配置された第２断熱材４０を支持することができる。このため、床小梁２８の両側にそれぞれ別体の下部支持部材が配設される構造と比較して、部材の点数を減らすことができ、施工時の工数を減少させることができる。
【００８６】
また、延長部８４の鉛直方向の寸法を適宜設定することにより、様々な厚みの断熱材を支持することが可能となり、汎用性の高い構造になっている。
【００８７】
[補足説明]
上記第１実施形態〜第３実施形態では、ユニット建物である建物１０に断熱構造１２、７０、８０を適用する構成としたが、本発明はこれに限らない。鉄骨軸組構造の建物又従来工法で建築された木造の建物の床下に適用されてもよい。従って、床大梁２６や床小梁２８は鉄鋼製に限らず、木製であってもよい。
【００８８】
また、上記第１実施形態〜第３実施形態では、床板を下方側から支持する「横架材」として床大梁２６と床小梁２８を適用したが、本発明はこれに限らず、大引や根太であってもよい。
【００８９】
また、上記第１実施形態〜第３実施形態では、床小梁２８の下方側に第３断熱材５６を設ける構成としたが、本発明はこれに限らず、第３断熱材５６を組み付けない構成としてもよい。
【００９０】
また、上記第１実施形態〜第３実施形態では、組み付け前の状態で下部支持部材４４の支持部４８が、床小梁２８よりも外側に向かうにつれて若干上方側に傾斜される構成（例えばθ１＝θ２＝θ３＝８５°）としたが、本発明はこれに限らない。支持部４８が水平方向に沿って延在される構成（θ１＝θ２＝θ３＝９０°）としてもよく、支持部４８が床小梁２８よりも外側に向かうにつれて若干下方側に傾斜される構成（θ１、θ２、θ３が鈍角に設定されている場合。）としてもよい。
【００９１】
また、上記第１実施形態では、拘束部材５８の両端部にフック６２を設ける構成としたが、本発明はこれに限らない。図１２（Ａ）に示される拘束部材９０のように、両端部にクリップ９２を設ける構成とし、支持部４８の外側端部がクリップ９２で挟持される構成としてもよい。又は、図１２（Ｂ）に示される拘束部材１００のように、拘束部材１００の両端部に環状部１０２を設けて支持部４８に形成された下切欠き部５０に環状部１０２を引っかけて係止する構成としてもよい。又は、図１２（Ｃ）に示される拘束部材２００のように、全体を環状の紐部材で構成されるものとし、支持部４８に形成された下切欠き部５０に拘束部材２００の環状の一端を引っかけて係止する構成としてもよい。また、上記した拘束部材９０、１００、２００の構成は第２実施形態又は第３実施形態にも適用可能である。
【００９２】
また、上記第１実施形態では、床小梁２８に配設される支持部材を第２上部支持部材３８としたが、これに限らず、床小梁２８に第１上部支持部材３６を配設する構成としてもよい。つまり、床小梁２８の左右両側に第１上部支持部材３６をそれぞれ設ける構成とし、床小梁２８の両側に配置される第２断熱材４０を支持する構成としてもよい。
【００９３】
また、上記第１実施形態では、予め第１断熱材３４が第１上部支持部材３６及び第２上部支持部材３８を用いて床板３０の下方側に組み付けられた建物１０へ断熱構造１２を適用する施工方法について説明した。しかし、本発明はこれに限らず、新設される建物へ断熱構造１２を適用してもよい。この場合、まず、床大梁２６及び床小梁２８に第１上部支持部材３６及び第２上部支持部材３８を設置する。このとき、第１上部支持部材３６を床大梁２６の上フランジ部２６Ｂに両面テープ等を用いて仮止めしてもよい。その後、第２上部支持部材３８に下部支持部材４４を係合させ、拘束部材５８に第３断熱材５６を支持させる。次に、下部支持部材４４に第２断熱材４０を支持させ、その後、第１上部支持部材３６及び第２上部支持部材３８に第１断熱材３４を支持させる。その後、床大梁２６及び床小梁２８に床板３０を固定することにより施工作業が完了する。
【符号の説明】
【００９４】
１０  建物
１２  建物の断熱構造
３０  床板
３０Ｂ床板の下面
２６  床大梁（横架材）
２８  床小梁（横架材）
３４  第１断熱材
４０  第２断熱材
５６  第３断熱材
３６  第１上部支持部材（上部支持部材）
３８  第２上部支持部材（上部支持部材）
４４  下部支持部材
４６  係合部
４８  支持部
５４  孔
５０  切欠き部
５８  拘束部材
６２  フック
７０  建物の断熱構造
７２  下部支持部材
７６  係合部
７８  支持部
８０  建物の断熱構造
８２  下部支持部材
８６  支持部
９０  拘束部材
１００  拘束部材
２００  拘束部材
θ１  係合部と支持部のなす角
θ２  係合部と支持部のなす角
θ３  係合部と支持部のなす角
【図１】
2020070541.tif 000003
【図２】
2020070541.tif 000004
【図３】
2020070541.tif 000005
【図４】
2020070541.tif 000006
【図５】
2020070541.tif 000007
【図６】
2020070541.tif 000008
【図７】
2020070541.tif 000009
【図８】
2020070541.tif 000010
【図９】
2020070541.tif 000011
【図１０】
2020070541.tif 000012
【図１１】
2020070541.tif 000013
【図１２】
2020070541.tif 000014